(57)【要約】      （修正有）【課題】棒状部材に含まれる揮発成分の揮散を防止するとともにカバー体に付加される回転力に由来した摩耗粉や塵の侵入を回避して棒状部材の品質を安定的に保持できる気密性の高い繰り出し容器を提案する。【解決手段】先端部及び後端部にそれぞれ開口を有する中空のケース本体１と、該ケース本体１の軸心に沿って移動可能なスライダー２と、前記ケース本体１に回転自在に取り付けられその回転する向きに応じて前記スライダー２を進退移動させるベース部材３と、前記ケース本体１に被さりベース部材３に着脱自在に係合保持されるカバー体４とからなる棒状部材の繰り出し容器において、前記カバー体４の内側に、ストッパー６を介して抜け止め保持されケース本体１の先端部の開口を覆い隠すインナーカバー５をを設ける。【選択図】図１
2005187048.tif 000002
【特許請求の範囲】
【請求項１】
先端部及び後端部にそれぞれ開口を有する中空のケース本体と、このケース本体の内部にて棒状部材を保持し該ケース本体の軸心に沿って移動可能なスライダーと、前記ケース本体に回転自在に取り付けられその回転する向きに応じて前記スライダーをケース本体内で進退移動させるベース部材と、前記ケース本体に被さりベース部材に着脱自在に係合保持されるカバー体とからなる棒状部材の繰り出し容器であって、
前記カバー体の内側に、ストッパーを介して抜け止め保持されケース本体の先端部の開口を覆い隠すインナーカバーを配置してなり、
該インナーカバーは、カバー体のみの回転においては該インナーカバーを静止状態を維持するが、ケース本体の回転に帯同して該インナーカバーを回転させる環状の嵌合突起を有することを特徴とする棒状部材の繰り出し容器。
【請求項２】
前記嵌合突起は、ケース本体の全周にわたって密着しその相互間を気密状態に維持するシール機能を有する請求項１記載の棒状部材の繰り出し容器。
【発明の詳細な説明】
【技術分野】
【０００１】
本発明は、口紅やリップクリーム、スティックのり等の棒状部材を使途に応じて容器内から適量露出させることができる繰り出し容器に関するものであり、カバー体を付けた状態での内容物の揮発成分の揮散を防止するとともに容器内への塵や摩耗粉等の異物の侵入を確実に防止しようとするものである。
【背景技術】
【０００２】
口紅等の棒状部材の収納に使用される繰り出し容器は、普通、先端部及び後端部にそれぞれ開口を有する中空のケース本体と、このケース本体の内部で充填部材を保持し該ケースの軸心に沿って充填部材とともに移動可能なスライダーと、ケース本体に回転自在に取り付けられその回転する向きに応じてスライダーをケース本体の軸心に沿って進退移動させるベース部材と、該ケース本体に被さってベース部材に着脱自在に係合保持されるカバー体とにて構成されている（例えば特許文献１参照）。
【特許文献１】特許第３４３１０３７号公報
【発明の開示】
【発明が解決しようとする課題】
【０００３】
上記のような従来の繰り出し容器は、該カバー体がベース部材に保持されているときにはそれらが相対回転しないようにストッパーとしての機能を有するリブ状の突起によって係止されているが、使用者によってはカバー体が被さっているにもかかわらずベース部材を回転させる無理な力を付加してしまうこともあって、とくに、かかる部材が金属製である場合に摩耗粉が生じるのが避けられず、この場合、摩耗粉が容器内に入り込んで棒状部材に付着してしまうおそれがあった。また、それらの相互間の隙間からは塵等も侵入し易いうえ、棒状部材が揮発成分を含むものにあっては、それが揮散して品質に悪影響を与えることが懸念された。
【０００４】
本発明の課題は、棒状部材に含まれる揮発成分の揮散を確実に防止するとともに摩耗粉や塵などの侵入を確実に防止できる気密性の高い繰り出し容器を提案するところにある。
【課題を解決するための手段】
【０００５】
本発明は、先端部及び後端部にそれぞれ開口を有する中空のケース本体と、このケース本体の内部にて棒状充填部材を保持し該ケース本体の軸心に沿って移動可能なスライダーと、前記ケース本体に回転自在に取り付けられその回転する向きに応じて前記スライダーを進退移動させるベース部材と、前記ケース本体に被さりベース部材に着脱自在に係合保持されるカバー体とからなる棒状部材の繰り出し容器であって、
前記カバー体の内側に、ストッパーを介して抜け止め保持されケース本体の先端部の開口を覆い隠すインナーカバーを配置してなり、
該インナーカバーは、カバー体のみの回転においては該インナーカバーを静止状態を維持するが、ケース本体の回転に帯同して該インナーカバーを回転させる環状の嵌合突起を有することを特徴とする棒状部材の繰り出し容器であり、前記嵌合突起は、ケース本体の全周にわたって密着しその相互間を気密状態に維持するシール機能を有するものがとくに望ましい。
【発明の効果】
【０００６】
カバー体の内側に配置されたインナーカバーの嵌合突起はケース本体に嵌合してその相互間で気密状態を維持することになり棒状部材に含まれる揮発成分が揮散したり摩耗粉や塵の侵入は確実に阻止される。
【発明を実施するための最良の形態】
【０００７】
以下、図面を用いて本発明をより具体的に説明する。
図１、図２は本発明に従う繰り出し容器の実施の形態を示したものであり、図１はカバー体を装着した状態を示した図であり、図２はカバー体を取り外した状態を示した図である。
【０００８】
図１、２における１は先端部及び後端部にそれぞれ開口を有する中空のケース本体、２はケース本体１の内部にて棒状部材を保持し該ケース本体１の軸心Ｏ１に沿って充填部材とともに移動可能なスライダー、３はケース本体１に回転自在に取り付けられその回転する向きに応じてスライダー２をケース本体１内で進退移動させるベース部材、４はケース本体１に被さりベース部材３に着脱自在に係合保持されるカバー体である。
【０００９】
また、５はカバー体４の内側にフリーな状態にて設けられケース本体１の先端部の開口を覆い隠すインナーカバー、６はカバー体４の内側に設置されインナーカバー５を抜け止め保持するストッパー、７はインナーカバー５に一体的に成形されカバー体４のみの回転においては該インナーカバー５を静止状態を維持するがケース本体１の回転に帯同して該インナーカバー５を回転させる環状の嵌合突起であって、この嵌合突起７はケース本体１の全周にわたって密着しその相互間を気密状態に維持するシール機能を有する。また、８はカバー体４の内側に設けられたリブ状の突起、９はベース部材３のリング３ａに設けられリブ状の突起８に適合する溝部であり、リブ状の突起８と溝部９にてカバー体４のベース部材３に対する回転を阻止する機構を構成する。
【００１０】
上記の構成になる繰り出し容器において、ベース部材３の内壁面には螺旋状の溝部３ｂが設けられており、ケース本体１の側壁対向位置には軸心Ｏ１に沿っう長孔１ａが、また、スライダー２には長孔１ａを通してベース部材３の溝部３ｂに適合する突起２ａがそれぞれ設けられており、図２に示すようにカバー体４を取り外しケース本体１の上部域を把持してベース部材３を時計周りあるいは反時計周りに回転させることでスライダー２をケース本体１内で進退移動させることができ、これによって棒状部材（図示しないが棒状部材はスライダー２に保持される。）の繰り出し、収納が可能になる。
【００１１】
カバー体４が装着された図１に示すような状態では、たとえカバー体４を回転させるような力が作用してもインナーカバー５は静止状態にあり（カバー体４を固定してベース部材３を回転させた時はケース本体１とともにインナーカバー５は回転する）ケース本体１は嵌合突起７において確実にシールされるため棒状部材に含まれる揮発成分が揮散したり摩耗粉や塵等が侵入することはなく、したがって、棒状部材の品質は安定保持される。
【００１２】
図３は本発明に従う他の実施の形態を要部について示したものである。インナーカバー５は嵌合突起７がケース本体１の壁部に確実に接触しており、カバー体４とともに回転するものでなければその断面形状は繰り出し容器の形式に応じて種々変更できるものであり、図１に示したものには限定されない。
【００１３】
本発明の実施の形態では、カバー体５にリブ状の突起８を設け、ベース部材３のリング３ａに溝部９を設けてカバー体５の回転を阻止する構造について示したが、カバー体５をベース部材３にしっかりと保持できる場合には突起８、溝部９は省くことができる。
【産業上の利用可能性】
【００１４】
揮発成分の揮散を回避するとともに摩耗粉の異物や塵の侵入を防止し棒状部材の品質を安定的に維持できる気密性に優れた繰り出し容器が提供できる。
【図面の簡単な説明】
【００１５】
【図１】本発明に従う繰り出し容器の断面をカバー体を装着した状態で示した図である。
【図２】本発明に従う繰り出し容器の断面をカバー体を取り外した状態で示した図である。
【図３】本発明に従う繰り出し容器の他の実施の形態を要部について示した図である。
【符号の説明】
【００１６】
１  ケース本体
１ａ  長孔
２  スライダー
２ａ  突起
３  ベース部材
４  カバー体
５  インナーカバー
６  ストッパー
７  嵌合突起
８  突起
９  溝部
【図１】
2005187048.tif 000003
【図２】
2005187048.tif 000004
【図３】
2005187048.tif 000005